(57)【要約】    【課題】  視聴者から離れて設置されたディスプレイ装置によって視聴者が所望の映像を視聴することができるリモートディスプレイシステムを提供する。    【解決手段】  リモートディスプレイシステム１００は、互いに異なる場所に配置されている管理サーバ１０１、映像サーバ１０２、ディスプレイ装置１０６、及び携帯端末１０８を備え、ユーザが、携帯端末１０８の表示画面に表示されたコンテンツ選択メニューから所望のコンテンツを選択すると、所望のコンテンツのコンテンツ選択信号が管理サーバ１０１に送信され（２１０）、管理サーバ１０１は、映像サーバ１０２に再生すべき所望のコンテンツを指定する再生開始指示信号を送信し、映像サーバ１０２は、ディスプレイ装置１０６に所望のコンテンツに該当する映像データを送信し、該映像データを受信したディスプレイ装置１０６は所望のコンテンツを再生する（２２４）。【選択図】      図２
2006191383.tif 000002
【特許請求の範囲】
【請求項１】
映像を格納する格納手段と、
前記格納手段に格納された前記映像を、前記格納手段が配置された場所とは異なる場所で選択する選択手段と、
前記選択された映像を、前記選択手段が配置された場所とは異なる場所で出力する出力手段とを備えたことを特徴とするネットワークシステム。
【請求項２】
映像データをコンテンツとして格納する格納手段と、
前記格納手段に格納されているコンテンツを表示する表示手段と、
少なくとも前記格納手段及び前記表示手段の動作を管理制御する管理制御手段と、
携帯端末と、基地局とを有するリモートディスプレイシステムであって、
前記管理制御手段は、視聴者によって入力された所望のコンテンツ及び該所望のコンテンツを表示する所望の表示手段の選択指示を、前記携帯端末から前記基地局を介して受信し、該受信した選択指示に応じて前記格納手段に格納された前記所望のコンテンツを前記所望の表示手段に表示させることを特徴とするリモートディスプレイシステム。
【請求項３】
前記コンテンツは音声データを含み、前記表示手段は音声データの再生も行なうことを特徴とする請求項２に記載のリモートディスプレイシステム。
【発明の詳細な説明】
【技術分野】
【０００１】
本発明は、ネットワークシステム及びリモートディスプレイシステムに関する。
【背景技術】
【０００２】
近年、屋外やスタジアム等に大型のディスプレイ装置を設置し、近隣の風景やスタジアム等で行われているスポーツ等のイベントの様子を映像として該ディスプレイ装置に拡大表示するディスプレイシステムが開発されている。このディスプレイシステムにより、スタジアム等を訪れた観客、すなわち視聴者はディスプレイ装置に表示された映像によってイベントの様子等を鑑賞することができる。
【０００３】
このようなディスプレイシステムとしては、具体的に、繁華街の交差点において人や車の動きを表示するもの、繁華街や駅等において商品宣伝用のコマーシャル映像を表示するもの、公園において野鳥の動作を表示するもの、又はスポーツスタジアムにおいて選手の動作を表示するものが知られている。
【０００４】
このようなディスプレイシステムでは、ビデオカメラで撮影した映像をリアルタイムで表示し、若しくはリプレイ表示し、又は、予め撮影されて映像格納装置、例えば、ＨＤＤ等に格納された映像を所定のディスプレイに表示する（例えば、特許文献１参照。）。
【特許文献１】特開平０８−２６５７２９号公報
【発明の開示】
【発明が解決しようとする課題】
【０００５】
しかしながら、上述したディスプレイシステムでは、所定の撮影方向の映像を撮影するように予め設定されているビデオカメラが撮影した映像が表示されるか、予め準備された複数の映像としてのコンテンツから該システムの運営者が選択したコンテンツが表示されるのみであり、視聴者が、所望の撮影方向の映像をビデオカメラによって撮影すること、及び複数のコンテンツから所望のコンテンツを選択することができないため、視聴者は所望の映像を視聴することができないという問題がある。
【０００６】
具体的には、視聴者が公園に設置されたビデオカメラの撮影方向を変更したいと考えても、該視聴者は該ビデオカメラの撮影方向を変更することができず、または、駅や交差点において視聴者が誰かと待ち合わせをしている場合、該視聴者が駅に設置されたディスプレイ装置によって好きな歌手が歌っている様子の映像を眺めながら、該歌手の歌を聴きたいと考えても、該視聴者は好きな歌手のビデオクリップを視聴することができない。
【０００７】
また、上述したいずれの場合においても、視聴者はコンテンツを表示するディスプレイを選択することができない。
【０００８】
本発明の目的は、視聴者から離れて設置されたディスプレイ装置によって視聴者が所望の映像を視聴することができるようにするネットワークシステム及びリモートディスプレイシステムを提供することにある。
【課題を解決するための手段】
【０００９】
上記目的を達成するために、請求項１記載のネットワークシステムは、映像を格納する格納手段と、前記格納手段に格納された前記映像を、前記格納手段が配置された場所とは異なる場所で選択する選択手段と、前記選択された映像を、前記選択手段が配置された場所とは異なる場所で出力する出力手段とを備えたことを特徴とする。
【００１０】
上記目的を達成するために、請求項２記載のリモートディスプレイシステムは、映像データや音声データをコンテンツとして格納する格納手段と、前記格納手段に格納されているコンテンツを表示する表示手段と、少なくとも前記格納手段及び前記表示手段の動作を管理制御する管理制御手段と、携帯端末と、基地局とを有するリモートディスプレイシステムであって、前記管理制御手段は、視聴者によって入力された所望のコンテンツ及び該所望のコンテンツを表示する所望の表示手段の選択指示を、前記携帯端末から前記基地局を介して受信し、該受信した選択指示に応じて前記格納手段に格納された前記所望のコンテンツを前記所望の表示手段に再生させることを特徴とする。
【００１１】
請求項３記載のリモートディスプレイシステムは、請求項２記載のリモートディスプレイシステムにおいて、前記コンテンツは音声データを含み、前記表示手段は音声データの再生も行なうことを特徴とする。
【発明の効果】
【００１２】
本発明によれば、視聴者から離れて設置された表示手段としてのディスプレイ装置によって視聴者が所望の映像を視聴することができる。
【発明を実施するための最良の形態】
【００１３】
以下、本発明の実施形態について図面を参照しながら詳述する。
【００１４】
まず、本発明の第１の実施の形態に係るネットワークシステム、リモートディスプレイシステム及び該システムの制御方法について説明する。
【００１５】
図１は、本実施の形態に係るネットワークシステム及びリモートディスプレイシステムの概略構成を示す図である。
【００１６】
図１において、リモートディスプレイシステム１００は、該リモートディスプレイシステム１００の構成要素の動作を管理制御する管理サーバ１０１と、映像データや音声データ等を所定のファイル形式でコンテンツとして格納する映像サーバ１０２と、インターネット上にｗｅｂサイトを提供し且つ該ｗｅｂサイトでコンテンツを公開するためのｗｅｂサーバ１０３と、コンテンツとしての映像を再生表示するディスプレイ装置１０６と、後述する携帯端末１０８と無線によって通信する基地局１０７と、リモートディスプレイシステム１００及びインターネットを接続するゲートウェイ１０９と、上述した各構成要素間における通信の通信帯域を確保するスイッチ１０５とを備える。
【００１７】
このリモートディスプレイシステム１００では、管理サーバ１０１、映像サーバ１０２、ｗｅｂサーバ１０３、ディスプレイ装置１０６及びゲートウェイ１０９の各々が、アダプタ１０４ａ〜１０４ｅの各々を介してスイッチ１０５に接続されることによって、ネットワークを構成する。また、基地局１０７が携帯端末１０８と通信することによって該携帯端末１０８を上記ネットワークに収容する。
【００１８】
ここで、管理サーバ１０１は、リモートディスプレイシステム１００の構成や、ネットワークにおける端末としての各構成要素（映像サーバ１０２やディスプレイ装置１０６等）の状態を常に把握、すなわち、該管理サーバ１０１が有する記憶装置、例えばメモリ等に記憶している。
【００１９】
映像サーバ１０２は、管理サーバ１０１からの指令に応じて、管理サーバ１０１が指定するコンテンツをディスプレイ装置１０６や携帯端末１０８にスイッチ１０５を介して送信する。ディスプレイ装置１０６及びｗｅｂサーバ１０３は、管理サーバ１０１からの指令に応じて、映像サーバ１０２から送信されたコンテンツを表示し、インターネット上に公開する。また、スイッチ１０５は、管理サーバ１０１からの指令に応じて各構成要素間における通信の通信帯域を確保する。
【００２０】
携帯端末１０８は、例えば、リモートディスプレイシステム１００における視聴者としてのユーザが持ち運び可能な携帯電話やＰＤＡ等の入力端末であり、所定の情報を表示する表示画面（図示しない）と、ユーザが所望の情報を入力する入力手段（図示しない）、例えば、入力キー等とを備え、ユーザが入力手段を介して入力した情報を無線によって送信する。また、基地局１０７は携帯端末１０８から送信された情報を受信し、該受信した情報をスイッチ１０５及びアダプタ１０４ａを介して管理サーバ１０１へ送信する。
【００２１】
ディスプレイ装置１０６は、例えば、大型の電光掲示板や、フロントプロジェクト又はリアプロジェクトのスクリーン等であり、図１中では便宜的に１つのディスプレイ装置１０６のみ示されているが、リモートディスプレイシステム１００は、通常、複数のディスプレイ装置１０６を有する。すなわち、上述したネットワーク上には複数のディスプレイ装置１０６が存在している。
【００２２】
リモートディスプレイシステム１００では、管理サーバ１０１、映像サーバ１０２、ディスプレイ装置１０６及び携帯端末１０８が互いに異なる場所に配置されている。例えば、スポーツスタジアムでは、ディスプレイ装置１０６はバックスクリーンとして配置され、携帯端末１０８はユーザに所持されることによってバックスクリーンから離れた観客席に配置され、管理サーバ１０１や映像サーバ１０２はバックスクリーンや観客席から離れた施設室等に配置される。
【００２３】
このリモートディスプレイシステム１００では、ユーザが携帯端末１０８によって管理サーバ１０１にアクセスし、管理サーバ１０１が映像サーバ１０２に格納されたコンテンツから所望のコンテンツをディスプレイ装置１０６に表示させる。以下、所望のコンテンツをディスプレイ装置１０６へ表示させるためのリモートディスプレイシステム１００の制御方法について説明する。
【００２４】
図２及び図３は、図１のリモートディスプレイシステムの制御方法を示すシーケンス図である。
【００２５】
図２において、まず、所望のコンテンツの視聴を希望するユーザが携帯端末１０８の入力キーに管理サーバ１０１へのアクセスコードを入力すると、携帯端末１０８と基地局１０７との間で無線電波によるコネクションが確立される（２０１）。その後、携帯端末１０８から管理サーバ１０１に、入力されたアクセスコードが送信されて管理サーバ１０１へのアクセスが開始される（２０２）。
【００２６】
携帯端末１０８からアクセスコードを受信した管理サーバ１０１は最初のメニュー画像を携帯端末１０８に送信し、携帯端末１０８は送信されたメニュー画像を表示画面に表示する（２０３）。このとき、携帯端末１０８の表示画像に表示されるメニューは、リモートディスプレイシステム１００をリモート操作する「リモートディスプレイ」等、リモートディスプレイシステム１００の機能に関する項目のリストからなる。
【００２７】
次いで、ユーザが上記メニューから「リモートディスプレイ」を選択すると、「リモートディスプレイ」が選択された旨の選択信号が携帯端末１０８から管理サーバ１０１に送信される（２０４）。携帯端末１０８から「リモートディスプレイ」が選択された旨の選択信号を受信した管理サーバ１０１は、ネットワーク上に存在する複数のディスプレイ装置１０６から所望のディスプレイ装置１０６を選択するためのディスプレイ選択メニューの画像を携帯端末１０８に送信する（２０５）。このとき、携帯端末１０８の表示画面に表示されるディスプレイ選択メニューは、各ディスプレイ装置１０６を識別可能な各ディスプレイ装置１０６に対応した名称やＩＤ番号のリストからなる。
【００２８】
ユーザが、ディスプレイ選択メニューから所望のディスプレイ装置１０６を選択すると、選択されたディスプレイ装置１０６（以下「選択ディスプレイ」という。）の選択信号、例えば、該選択ディスプレイの名称やＩＤ番号が、携帯端末１０８から管理サーバ１０１に送信される（２０６）。
【００２９】
携帯端末１０８から選択ディスプレイの選択信号を受信した管理サーバ１０１は、該管理サーバ１０１のメモリ等に記憶している選択ディスプレイの状態を読み出し、選択ディスプレイが使用可能状態にあるか否かを判別する（２０７）。選択ディスプレイが使用可能状態にないとき、例えば、電源が入ってないときや、既に使用されているときには、管理サーバ１０１は、まず、携帯端末１０８に選択ディスプレイを選択できないこと示すディスプレイ選択不可表示の画像を送信し（２０８）、携帯端末１０８が表示画面に上記ディスプレイ選択不可表示の画像を一定時間表示した後、上述した（２０３）と同様に最初のメニュー画像を携帯端末１０８に送信する。
【００３０】
（２０７）の判別の結果、選択ディスプレイが使用可能状態にあるときには、管理サーバ１０１は、映像サーバ１０２に格納されたコンテンツから所望のコンテンツを選択するためのコンテンツ選択メニューの画像を携帯端末１０８に送信し、携帯端末１０８は表示画面にコンテンツ選択メニューを表示する（２０９）。このとき、携帯端末１０８の表示画面に表示されるコンテンツ選択メニューは、映像サーバ１０２に格納されたコンテンツの名称のリストからなる。
【００３１】
ユーザが、コンテンツ選択メニューから所望のコンテンツを選択すると、所望のコンテンツのコンテンツ選択信号、例えば、所望のコンテンツの名称が、携帯端末１０８から管理サーバ１０１に送信される（２１０）。
【００３２】
携帯端末１０８からコンテンツ選択信号を受信した管理サーバ１０１は、該管理サーバ１０１のメモリ等に記憶している映像サーバ１０２の状態を読み出し、該映像サーバ１０２が使用可能状態にあるか否かを判別する（２１１）。映像サーバ１０２が使用可能状態にないとき、例えば、電源が入ってないときや、既に選択ディスプレイ以外のディスプレイ装置１０６にコンテンツを配信しているときには、管理サーバ１０１は、まず、携帯端末１０８にコンテンツを再生できないこと示すコンテンツ選択不可能表示の画像を送信し（２１２）、携帯端末１０８が表示画面に上記コンテンツ選択不可能表示の画像を一定時間表示した後、上述した（２０９）と同様にコンテンツ選択メニューの画像を再度、携帯端末１０８に送信する。
【００３３】
（２１１）の判別の結果、映像サーバ１０２が使用可能状態にあるとき、すわなち、所望のコンテンツが再生可能であるときには、管理サーバ１０１は、携帯端末１０８に操作、すなわちユーザによる所望のコンテンツの選択を受け付けたことを示す表示の画像、例えば「ＯＫ」の文字列を送信し、携帯端末１０８は表示画面に「ＯＫ」の文字列を表示する（２１３）。
【００３４】
その後、管理サーバ１０１は、映像サーバ１０２に格納されている所望のコンテンツを選択ディスプレイに配信するための準備として、まず、選択ディスプレイが接続されているアダプタ１０４ｄに、ネットワークを経由して配信される所望のコンテンツに該当する映像データを選択ディスプレイに送信するための準備を指示するディスプレイ準備指示信号を送信する（２１４）。
【００３５】
次いで、管理サーバ１０１は、映像サーバ１０２が接続されているアダプタ１０４ｂに、映像サーバ１０２に格納されている所望のコンテンツを、ネットワークを経由してアダプタ１０４ｄに送信するための準備を指示する映像サーバ準備指示信号を送信する（２１５）。映像サーバ準備指示信号には、所望のコンテンツの送信（出力）先としての選択ディスプレイの情報、例えば、該選択ディスプレイの名称やＩＤ番号が含まれる。
【００３６】
次いで、管理サーバ１０１は、スイッチ１０５に、映像サーバ１０２及び選択ディスプレイ間のスイッチ接続とコンテンツ配信のための通信帯域とを確保させるための帯域確保信号を送信し（２１６）、その後、管理サーバ１０１は、アダプタ１０４ｄ、アダプタ１０４ｂ、及びスイッチ１０５からの準備完了信号を待つ。
【００３７】
アダプタ１０４ｄ、アダプタ１０４ｂ、及びスイッチ１０５は、それぞれ準備が完了すると、管理サーバ１０１に準備完了信号、例えば、ディスプレイ準備完了信号、映像サーバ準備完了信号、又は帯域確保完了信号を送信する（２１７、２１８、２１９）。尚、これらの準備完了信号の送信順序は、図２に示すものに限られず、アダプタ１０４ｄ、アダプタ１０４ｂ、スイッチ１０５の状態やネットワークの状態に応じて入れ替わる。
【００３８】
続いて、図３において、管理サーバ１０１が全ての準備完了信号を受信したとき、すなわち、所望のコンテンツに該当する映像データの再生の準備が完了すると、管理サーバ１０１は、携帯端末１０８にユーザへ再生開始の指示を促すための表示の画像、例えば「再生開始指示待ち」の文字列を送信し、携帯端末１０８は表示画面に「再生開始指示待ち」の文字列を表示する（２２０）。
【００３９】
その後、ユーザが携帯端末１０８で再生開始指示の入力操作を行うと、携帯端末１０８から管理サーバ１０１に再生開始を指示する旨の再生開始信号が送信される（２２１）。これ以降、携帯端末１０８及び基地局１０７の間における通信は不要となるため、コネクションが切断され（２２２）、以降、携帯端末１０８は入力操作待ちの初期状態となる。
【００４０】
再生開始信号を受信した管理サーバ１０１は、映像サーバ１０２に再生すべき所望のコンテンツ及び該所望のコンテンツの出力先である選択ディスプレイを指定する再生開始指示信号を送信する（２２３）。再生開始指示信号を受信した映像サーバ１０２は、選択ディスプレイに所望のコンテンツに該当する映像データを送信し、該映像データを受信した選択ディスプレイはコンテンツを再生する（２２４）。
【００４１】
コンテンツの再生が終了すると、映像サーバ１０２は、管理サーバ１０１にコンテンツ再生終了信号を送信する（２２５）。コンテンツ再生終了信号を受信した管理サーバ１０１は、選択ディスプレイが接続されているアダプタ１０４ｄ及び映像サーバ１０２が接続されているアダプタ１０４ｂのそれぞれに、終了指示信号、具体的には、ディスプレイの表示を終了する旨のディスプレイ終了指示信号、及び映像サーバ１０２による画像データの送信を終了する旨の映像サーバ終了指示信号を送信し（２２６、２２７）、さらに、スイッチ１０５に、該スイッチ１０５が確保している通信帯域の解放を指示する帯域解放信号を送信する（２２８）。
【００４２】
管理サーバ１０１から終了指示信号を受信したアダプタ１０４ｄ、１０４ｂはそれぞれ管理サーバ１０１に終了完了信号、具体的には、ディスプレイの表示が終了した旨のディスプレイ終了完了信号、及び映像サーバ１０２による画像データの送信が終了した旨の映像サーバ終了完了信号を返信し（２２９、２３０）、その後、待機状態となる。また、帯域解放信号を受信したスイッチ１０５は、確保していた通信帯域を解放した後、管理サーバ１０１に帯域解放完了信号を送信する（２３１）。
【００４３】
以上のように各構成要素が作動することによって、ユーザが、携帯端末１０８から所望のコンテンツを選択し、該選択されたコンテンツをディスプレイ装置１０６に表示させることができるリモートディスプレイシステムを実現することができる。
【００４４】
上述した本実施の形態に係るリモートディスプレイシステム及び該システムの制御方法によれば、ユーザが視聴を希望する所望のコンテンツが、映像サーバ１０２が配置された場所とは異なる場所に配置された携帯端末１０８で選択され、選択された所望のコンテンツが、携帯端末１０８が配置された場所とは異なる場所に配置されたディスプレイ装置１０６で再生される、すなわち、ユーザによって携帯端末１０８に入力された所望のコンテンツの選択指示に応じて映像サーバ１０２に格納されたコンテンツが再生されるので、携帯端末１０８が配置された場所に位置するユーザから離れて設置されたディスプレイ装置１０６によってユーザが所望のコンテンツを視聴することができる。
【００４５】
次に、本発明の第２の実施の形態に係るリモートディスプレイシステム及び該システムの制御方法について説明する。
【００４６】
本実施の形態は、その構成、作用が上述した第１の実施の形態と基本的に同じであるので、重複した構成、作用については説明を省略し、以下に異なる構成、作用についての説明を行う。
【００４７】
上述した第１の実施の形態では、ユーザが、携帯端末１０８によって所望のコンテンツをディスプレイ装置１０６に表示させる。例えば、繁華街等の大きな交差点で信号待ちしているユーザが、該交差点の近傍に設置されているディスプレイ装置１０６としての大型ディスプレイに所望のコンテンツ、例えば、映像データを表示させるが、本実施の形態では、ユーザが所望のコンテンツへ投票し、投票結果に基づいてディスプレイ装置１０６にコンテンツが再生される点で上述した第１の実施の形態と異なる。
【００４８】
さらに、本実施の形態では、映像データだけでなく音声データも再生される点で上述した第１の実施の形態と異なる。具体的には、各ディスプレイ装置１０６が音声再生用のスピーカを備えている。したがって、本実施の形態では、映像データ及び音声データの再生が可能となり、例えば、歌手が歌っている映像を音声と共に再生すること、すなわち楽曲を再生することが可能である。
【００４９】
また、近年、携帯端末、例えば、携帯電話によってインターネット上のｗｅｂサイトを閲覧することが可能となってきているが、これに対応して、本実施の形態に係るリモートディスプレイシステムは、ユーザがインターネット上のｗｅｂサイトを通じて所望のコンテンツを選択できるように構成されている。具体的には、ｗｅｂサーバ１０３が楽曲への投票用のｗｅｂサイトをゲートウェイ１０９を介してインターネット上に提供し、携帯端末１０８は不図示の基地局を介してインターネットにアクセス可能に構成されている。
【００５０】
以下、投票結果に基づいてコンテンツをディスプレイ装置へ表示させるための本実施の形態に係るリモートディスプレイシステムの制御方法について説明する。
【００５１】
図４は、本実施の形態に係るリモートディスプレイシステムの制御方法としての楽曲投票処理のフローチャートであり、図５は、本実施の形態に係るリモートディスプレイシステムの制御方法としてのコンテンツ再生処理のフローチャートである。
【００５２】
図４において、コンテンツとしての楽曲を再生する際、まず、ユーザが携帯端末１０８を操作してインターネットにアクセスし、該携帯端末１０８がｗｅｂサーバ１０３によってインターネット上に提供されている投票用のｗｅｂサイトにアクセスする。このとき、携帯端末１０８は、インターネットを介して、ゲートウェイ１０９、アダプタ１０４ｅ、スイッチ１０５、アダプタ１０４ｃという経路でｗｅｂサーバ１０３にアクセスすることになる。
【００５３】
一方、ｗｅｂサーバ１０３は、インターネット経由による携帯端末１０８からｗｅｂサーバ１０３へのアクセスがあるか否かを所定の周期毎に判別する（ステップＳ３０１）。ｗｅｂサーバ１０３へのアクセスがあるときには、ｗｅｂサーバ１０３はゲートウェイ１０９を介してインターネット経由で、携帯端末１０８に楽曲メニューの画像を送信し、携帯端末１０８は表示画面に楽曲メニューを表示する（ステップＳ３０２）。このとき、携帯端末１０８の表示画面に表示される楽曲メニューは、映像サーバ１０２に格納された楽曲の曲名のリストからなる。投票者としてのユーザが、楽曲メニューの中から視聴を希望する曲を選択すると、楽曲選択の信号、例えば、所望の楽曲の曲名が、携帯端末１０８からインターネットを経由してゲートウェイ１０９に送信され、該ゲートウェイ１０９は送信された楽曲選択の信号をｗｅｂサーバ１０３に送信する。
【００５４】
一方、楽曲メニューの画像を送信したｗｅｂサーバ１０３は、その後、携帯端末１０８からの楽曲選択の操作を待ち受け、携帯端末１０８からの楽曲選択の信号を受信したか否かを所定の周期毎に判別する（ステップＳ３０３）。楽曲選択の信号を受信しない（楽曲選択がない）ときは、ステップＳ３０３を繰り返し、楽曲選択の信号を受信した（楽曲選択がある）ときは、ｗｅｂサーバ１０３は、携帯端末１０８に楽曲を受け付けたことを示す楽曲受付表示の画像を送信し、携帯端末１０８は表示画面に楽曲受付表示の画像を表示する（ステップＳ３０４）。さらに、ｗｅｂサーバ１０３は、楽曲選択の信号に対応する楽曲情報、例えば、所望の楽曲の曲名を管理サーバ１０１に送信し（ステップＳ３０５）、その後、ステップＳ３０１へ戻る。
【００５５】
図５において、コンテンツとしての楽曲を再生する際、管理サーバ１０１は、所定の周期毎に、管理サーバ１０１のメモリ等に管理している映像サーバ１０２の状態を読み出し、該映像サーバ１０２が停止中か、前回に選択された所望の楽曲を再生中かを判別する（ステップＳ４０１）。具体的には、所定の周期毎に、映像サーバ１０２からコンテンツ再生終了信号を受信したか否かを判別する。映像サーバ１０２が前回に選択された所望の楽曲を再生中のときには、後述するステップＳ４０４に進み、映像サーバ１０２が停止中のときには、映像サーバ１０２にコンテンツ再生開始指示信号を送信する（ステップＳ４０２）。
【００５６】
続く、ステップＳ４０２では、管理サーバ１０１が、該管理サーバ１０１のメモリ等に記憶している後述の各楽曲への投票数（選択回数）を確認し、映像サーバ１０２に格納された楽曲のうち投票数が最も多い楽曲の再生を決定する。このとき、仮に全ての楽曲への投票数が０であれば、上述した楽曲メニューにおける最初の楽曲の再生を決定する。
【００５７】
続くステップＳ４０３では、管理サーバ１０１は、該管理サーバ１０１のメモリ等に記憶している各楽曲への投票数のうち、上記再生を決定した楽曲への投票数を０に設定する。これにより、同じ楽曲が連続して再生されるのを防ぐことができる。
【００５８】
次いで、管理サーバ１０１は、ｗｅｂサーバ１０３からの楽曲情報を受信したか否かを判別する（ステップＳ４０４）。楽曲情報を受信していないときには、ステップＳ４０１に戻り、楽曲情報を受信したときには、楽曲情報に対応する楽曲への投票数をインクリメントし、該楽曲数をメモリ等に記憶し（ステップＳ４０５）、ステップＳ４０１に戻る。
【００５９】
また、管理サーバ１０１は、再生が決定された楽曲の曲名を映像サーバ１０２へ送信し、映像サーバ１０２は再生が決定された楽曲のデータ（映像データ、音声データ）をディスプレイ装置１０６に送信し、ディスプレイ装置１０６は送信された楽曲のデータに基づいて映像データを再生すると共に、付属のスピーカによって音声データを再生する。これにより、投票数が最も多い楽曲がディスプレイ装置１０６で再生される。
【００６０】
以上のように各構成要素が作動することによって、ユーザが携帯端末１０８から所望の楽曲に投票し、投票結果に基づいて楽曲がディスプレイ装置１０６で再生されるリモートディスプレイシステムを実現することができる。
【００６１】
上述した本実施の形態に係るリモートディスプレイシステム及び該システムの制御方法によれば、ユーザによって携帯端末１０８に入力された所望の楽曲の選択（投票）、具体的には、所望の楽曲の選択回数（投票数）に応じて映像サーバ１０２に格納されている楽曲から再生する楽曲が決定され、該決定された楽曲がディスプレイ装置１０６で再生されるので、携帯端末１０８に選択指示を入力するユーザから離れて設置されたディスプレイ装置１０６によってユーザはより好みにあった楽曲を視聴することができる。さらに、携帯端末１０８に選択指示を入力するユーザが複数存在する場合、多くのユーザの要求を満たすことができる。
【００６２】
また、リモートディスプレイシステムでは、楽曲の選択指示が携帯端末１０８からインターネットを介して送信される。ユーザは携帯端末１０８によって広範囲においてインターネットにアクセス可能であるため、結果としてユーザは広範囲において楽曲の選択指示を送信することができる。したがって、携帯端末１０８に選択指示を入力するユーザが所望の楽曲を視聴可能な範囲を拡大することができる。
【００６３】
上述した本実施の形態では、繁華街等の大きな交差点で信号待ちしているユーザが携帯端末１０８から所望の楽曲に投票し、投票数が最も多い楽曲が該交差点の近傍に設置されている大型ディスプレイで再生される場合を想定したが、本実施の形態に係るリモートディスプレイシステムが適用可能なシチュエーションはこれに限られず、公園やスタジアム等にも適用されるのは言うまでもない。
【００６４】
また、上述した本実施の形態では、リモートディスプレイシステムのユーザが複数であることを想定して、ユーザが楽曲への投票を行うこととしたが、想定されるユーザが１人であれば、投票を行わなくてもよい。さらに、再生されるコンテンツも楽曲に限られないのは言うまでもない。
【００６５】
上述した第１の実施の形態及び第２の実施の形態は共に一例を示したものであり、これら以外の事例にも適用できることは言うまでもない。
【００６６】
また、図１のリモートディスプレイシステムの構成は、最低限の構成を示したものに過ぎず、各構成要素、例えば、ディスプレイ装置１０６や携帯端末１０８を複数備えていてもよく、アダプタ１０４ａ〜１０４ｅは各構成要素、例えば、各サーバやゲートウェイ１０９の中に収容されていてもよいことは言うまでもない。さらに、管理サーバ１０１、映像サーバ１０２及びｗｅｂサーバ１０３は物理的に３台に分離されている必要はなく、これら複数のサーバの機能を備える１台のサーバをリモートディスプレイシステムが備えていてもよい。
【００６７】
図２及び図３のシーケンス、並びに図４及び図５のフローチャートには、必要最小限の動作が記されているのみなので、これ以外の動作を伴ってもよいことは言うまでもない。
【００６８】
また、本発明の目的は、上述した実施の形態の機能を実現するソフトウェアのプログラムコードを記録した記憶媒体（または記録媒体）を、リモートディスプレイシステム１００に供給し、そのリモートディスプレイシステム１００が有する制御装置、例えば、コンピュータ（またはＣＰＵやＭＰＵ）や管理サーバ１０１、又はリモートディスプレイシステム１００に接続された制御装置、例えば、外部サーバが記憶媒体に格納されたプログラムコードを読み出し実行することによっても達成されることはいうまでもない。
【００６９】
また、コンピュータ等が読み出したプログラムコードを実行することにより、上述した実施の形態の機能が実現されるだけでなく、そのプログラムコードの指示に基づき、コンピュータ等で稼働しているオペレーティングシステム(ＯＳ)などが実際の処理の一部または全部を行い、その処理によって上述した実施の形態の機能が実現される場合も含まれることはいうまでもない。
【００７０】
さらに、記憶媒体から読み出されたプログラムコードが、コンピュータや管理サーバ１０１、又は外部サーバに挿入された機能拡張カードやコンピュータや管理サーバ１０１、又は外部サーバに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって上述した実施の形態の機能が実現される場合も含まれることはいうまでもない。
【００７１】
また、上記プログラムコードは、上述した実施の形態の機能をコンピュータや管理サーバ１０１、又は外部サーバで実現することができればよく、その形態は、オブジェクトコード、インタプリタにより実行されるプログラムコード、ＯＳに供給されるスクリプトデータ等の形態を有するものでもよい。
【００７２】
プログラムコードを供給する記録媒体としては、例えば、ＲＡＭ、ＮＶ−ＲＡＭ、フロッピー（登録商標）ディスク、ハードディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムコードを記憶できるものであればよい。或いは、上記プログラムコードは、インターネット、商用ネットワーク、若しくはローカルエリアネットワーク等に接続される不図示の他のコンピュータやデータベース等からダウンロードすることにより供給されてもよい。
【図面の簡単な説明】
【００７３】
【図１】本発明の第１の実施の形態に係るネットワークシステム及びリモートディスプレイシステムの概略構成を示す図である。
【図２】図１のリモートディスプレイシステムの制御方法を示すシーケンス図である。
【図３】図１のリモートディスプレイシステムの制御方法を示すシーケンス図である。
【図４】本発明の第２の実施の形態に係るリモートディスプレイシステムの制御方法としての楽曲投票処理のフローチャートである。
【図５】本発明の第２の実施の形態に係るリモートディスプレイシステムの制御方法としてのコンテンツ再生処理のフローチャートである。
【符号の説明】
【００７４】
１００  リモートディスプレイシステム
１０１  管理サーバ
１０２  映像サーバ
１０３  ｗｅｂサーバ
１０４ａ〜１０４ｅ  アダプタ
１０５  スイッチ
１０６  ディスプレイ装置
１０７  基地局
１０８  携帯端末
１０９  ゲートウェイ
【図１】
2006191383.tif 000003
【図２】
2006191383.tif 000004
【図３】
2006191383.tif 000005
【図４】
2006191383.tif 000006
【図５】
2006191383.tif 000007